(57)【要約】    【課題】  大口径比、高ズーム比で全ズーム範囲にわたり高い光学性能を有するズームレンズを得ること。    【解決手段】  物体側より像側へ順に、正の屈折力の第１レンズ群、負の屈折率の第２レンズ群、正の屈折力の第３レンズ群、１以上のレンズ群を有する後群より構成され、広角端から望遠端へのズーミングに際して第１レンズ群は像側に凸状の軌跡で移動し、第２レンズ群は像側へ移動し、ズーミングに際して第３レンズ群は不動であるズームレンズにおいて、第３レンズ群の焦点距離ｆ３、広角端における全系の焦点距離ｆｗ、広角端におけるＦナンバーＦｎｏｗを各々適切に設定する。【選択図】    図１
2015141272.tif 000002
【特許請求の範囲】
【請求項１】
物体側より像側へ順に、正の屈折力の第１レンズ群、負の屈折率の第２レンズ群、正の屈折力の第３レンズ群、１以上のレンズ群を有する後群より構成され、広角端から望遠端へのズーミングに際して前記第１レンズ群は像側に凸状の軌跡で移動し、前記第２レンズ群は像側へ移動し、ズーミングに際して前記第３レンズ群は不動であるズームレンズにおいて、
前記第３レンズ群の焦点距離をｆ３、広角端における全系の焦点距離をｆｗ、広角端におけるＦナンバーをＦｎｏｗとするとき、
４．２＜ｆ３／（Ｆｎｏｗ×ｆｗ）＜８．０
なる条件式を満足することを特徴とするズームレンズ。
【請求項２】
広角端のズーム位置を基準として、ズーミングに際して前記第１レンズ群の像側への最大移動量をｓｔ１ｉｍｇとし、最大移動量ｓｔ１ｉｍｇの符号は像側への移動量を正、最大移動量ｓｔ１ｏｂｊの符号は物体側への移動量を正、像側への移動量を負とするとき、
０．８＜ｓｔ１ｉｍｇ／ｆｗ＜３．０
なる条件式を満足することを特徴とする請求項１に記載のズームレンズ。
【請求項３】
広角端のズーム位置を基準として、ズーミングに際して前記第１レンズ群の物体側への最大移動量をｓｔ１ｏｂｊとするとき、
０．０＜ｓｔ１ｏｂｊ／ｆｗ＜１．０
なる条件式を満足することを特徴とする請求項１又は２に記載のズームレンズ。
【請求項４】
ズーミングに際して前記第１レンズ群が最も像側に位置するときのズーム位置における全系の焦点距離をｆｍ、望遠端における全系の焦点距離をｆｔとするとき、
０．０１＜ｆｍ／ｆｔ＜０．１０
なる条件式を満足することを特徴とする請求項１乃至３のいずれか１項に記載のズームレンズ。
【請求項５】
前記第１レンズ群の焦点距離をｆ１とするとき、
９．０＜ｆ１／ｆｗ＜１４．５
なる条件式を満足することを特徴とする請求項１乃至４のいずれか１項に記載のズームレンズ。
【請求項６】
広角端における前記第２レンズ群の横倍率をβ２ｗとするとき、
−０．２３＜β２ｗ＜−０．１５
なる条件式を満足することを特徴とする請求項１乃至５のいずれか１項に記載のズームレンズ。
【請求項７】
像ぶれ補正に際して、前記第３レンズ群の全部又は一部を光軸に対して垂直方向の成分を持つように移動することを特徴とする請求項１乃至６のいずれか１項に記載のズームレンズ。
【請求項８】
広角端における有効像円径が望遠端における有効像円径よりも小さいことを特徴とする請求項１乃至７のいずれか１項に記載のズームレンズ。
【請求項９】
ズーミングに際して、前記後群の最も像側のレンズ群は物体側に凸状の軌跡で移動することを特徴とする請求項１乃至８のいずれか１項に記載のズームレンズ。
【請求項１０】
前記後群は正の屈折力の第４レンズ群より構成されることを特徴とする請求項１乃至９のいずれか１項に記載のズームレンズ。
【請求項１１】
前記後群は物体側から像側へ順に、負の屈折力の第４レンズ群、正の屈折力の第５レンズ群より構成されることを特徴とする請求項１乃至９のいずれか１項に記載のズームレンズ。
【請求項１２】
前記後群は物体側から像側へ順に、正の屈折力の第４レンズ群、正の屈折力の第５レンズ群より構成されることを特徴とする請求項１乃至９のいずれか１項に記載のズームレンズ。
【請求項１３】
請求項１乃至１２のいずれか１項に記載のズームレンズと該ズームレンズによって形成された像を受光する撮像素子を有することを特徴とする撮像装置。
【発明の詳細な説明】
【技術分野】
【０００１】
本発明はズームレンズ及びそれを有する撮像装置に関し、例えばビデオカメラ、電子スチルカメラ、放送用カメラ、監視カメラ等のように固体撮像素子を用いた撮像装置、或いは銀塩フィルムを用いたカメラ等の撮像装置に好適なものである。
【背景技術】
【０００２】
近年、固体撮像素子を用いたビデオカメラ、デジタルスチルカメラ、放送用カメラ、監視カメラ、そして銀塩フィルムを用いたカメラ等の撮像装置は高機能化され、又装置全体が小型化されている。そしてそれに用いる撮像光学系としてはレンズ全長が短く、コンパクト（小型）で、広画角、高ズーム比（高変倍比）のズームレンズであることが要求されている。
【０００３】
これらの要求に応えるズームレンズとして、物体側より像側へ順に、正、負、正の屈折力を有する第１、第２、第３レンズ群と、それに続く１つ以上のレンズ群を含む後群を有するポジティブリード型のズームレンズが知られている。ポジティブリード型のズームレンズとして、物体側より像側へ順に、正、負、正、正の屈折力の４つのレンズ群より成る４群ズームレンズが知られている。このポジティブリード型の４群ズームレンズにおいてズーミングに際して、第１レンズ群，第２レンズ群，第４レンズ群を移動させたズームレンズが知られている（特許文献１，２）。
【０００４】
特許文献１，２では広角端から望遠端へのズーミングに際して第１レンズ群を像側へ凸状の軌跡で移動し、第２レンズ群を像側へ移動し、第４レンズ群を物体側へ凸状の軌跡で移動させた広画角、高ズーム比のズームレンズを開示している。また物体側より順に正、負、正、負、正の屈折力のレンズ群より成る５群構成ズームレンズが知られている（特許文献３）。この他、物体側より像側へ順に正、負、正、正、正の屈折力の５つのレンズ群より成る広画角、高ズーム比のズームレンズが知られている（特許文献４）。
【先行技術文献】
【特許文献】
【０００５】
【特許文献１】特開２００９−１６２８６２号公報
【特許文献２】特開２０１０−２５６８４５号公報
【特許文献３】特開２０１０−３２７００号公報
【特許文献４】特開２００４−１１７８２６号公報
【発明の概要】
【発明が解決しようとする課題】
【０００６】
撮像装置に使用されるズームレンズには、全系が小型で広画角かつ高ズーム比であり、かつズーム全域において高い光学性能を有していることが要望されている。前述したポジティブリード型の４群ズームレンズや５群ズームレンズは全系の小型化を図りつつ、広画角化及び高ズーム比化を図ることが比較的容易である。
【０００７】
しかしながら大口径比化及び高ズーム比化を図りつつ、高い光学性能を得るためには、ズームレンズを構成する各レンズ群の屈折力（光学的パワー＝焦点距離の逆数）やズーミングに際しての各レンズ群のズーム軌跡等を適切に設定することが重要になってくる。これらの構成を適切に設定しないと大口径比、高ズーム比化を図りつつ、全ズーム範囲にわたり高い光学性能を得るのが難しくなってくる。
【０００８】
本発明は大口径比、高ズーム比で全ズーム範囲にわたり高い光学性能を有するズームレンズ及びそれを有する撮像装置の提供を目的とする。
【課題を解決するための手段】
【０００９】
本発明のズームレンズは、物体側より像側へ順に、正の屈折力の第１レンズ群、負の屈折率の第２レンズ群、正の屈折力の第３レンズ群、１以上のレンズ群を有する後群より構成され、広角端から望遠端へのズーミングに際して前記第１レンズ群は像側に凸状の軌跡で移動し、前記第２レンズ群は像側へ移動し、ズーミングに際して前記第３レンズ群は不動であるズームレンズにおいて、前記第３レンズ群の焦点距離をｆ３、広角端における全系の焦点距離をｆｗ、広角端におけるＦナンバーをＦｎｏｗとするとき、
４．２＜ｆ３／（Ｆｎｏｗ×ｆｗ）＜８．０
なる条件式を満足することを特徴としている。
【発明の効果】
【００１０】
本発明によれば、大口径比、高ズーム比で全ズーム範囲にわたり高い光学性能を有するズームレンズが得られる。
【図面の簡単な説明】
【００１１】
【図１】実施例１のズームレンズの広角端におけるレンズ断面図
【図２】（Ａ）、（Ｂ）、（Ｃ）  実施例１のズームレンズの広角端、中間のズーム位置、望遠端における収差図
【図３】実施例２のズームレンズの広角端におけるレンズ断面図
【図４】（Ａ）、（Ｂ）、（Ｃ）  実施例２のズームレンズの広角端、中間のズーム位置、望遠端における収差図
【図５】実施例３のズームレンズの広角端におけるレンズ断面図
【図６】（Ａ）、（Ｂ）、（Ｃ）  実施例３のズームレンズの広角端、中間のズーム位置、望遠端における収差図
【図７】実施例４のズームレンズの広角端におけるレンズ断面図
【図８】（Ａ）、（Ｂ）、（Ｃ）  実施例４のズームレンズの広角端、中間のズーム位置、望遠端における収差図
【図９】実施例５のズームレンズの広角端におけるレンズ断面図
【図１０】（Ａ）、（Ｂ）、（Ｃ）  実施例５のズームレンズの広角端、中間のズーム位置、望遠端における収差図
【図１１】実施例６のズームレンズの広角端におけるレンズ断面図
【図１２】（Ａ）、（Ｂ）、（Ｃ）  実施例６のズームレンズの広角端、中間のズーム位置、望遠端における収差図
【図１３】実施例７のズームレンズの広角端におけるレンズ断面図
【図１４】（Ａ）、（Ｂ）、（Ｃ）  実施例７のズームレンズの広角端、中間のズーム位置、望遠端における収差図
【図１５】本発明のズームレンズを搭載する撮像装置（監視カメラ）の装置図
【発明を実施するための形態】
【００１２】
以下に本発明の好ましい実施の形態を、添付の図面に基づいて詳細に説明する。本発明のズームレンズは、物体側から像側へ順に、正の屈折力（光学的パワー＝焦点距離の逆数）の第１レンズ群、負の屈折力の第２レンズ群、開口絞り、正の屈折力の第３レンズ群、１以上のレンズ群を含む後群より構成されている。ズーミングに際しては隣り合うレンズ群の間隔が変化するようにレンズ群が移動する。
【００１３】
図１は、本発明の実施例１のズームレンズの広角端（短焦点距離端）におけるレンズ断面図である。図２（Ａ）、（Ｂ）、（Ｃ）はそれぞれ実施例１のズームレンズの広角端、中間のズーム位置、望遠端（長焦点距離端）における収差図である。実施例１はズーム比３４．５０、開口比１．４４〜５．００程度のズームレンズである。
【００１４】
図３は、本発明の実施例２のズームレンズの広角端におけるレンズ断面図である。図４（Ａ）、（Ｂ）、（Ｃ）はそれぞれ実施例２のズームレンズの広角端、中間のズーム位置、望遠端における収差図である。実施例２はズーム比３８．５０、開口比１．４４〜５．８０程度のズームレンズである。
【００１５】
図５は、本発明の実施例３のズームレンズの広角端におけるレンズ断面図である。図６（Ａ）、（Ｂ）、（Ｃ）はそれぞれ実施例３のズームレンズの広角端、中間のズーム位置、望遠端における収差図である。実施例３はズーム比３４．５０、開口比１．４４〜５．００程度のズームレンズである。
【００１６】
図７は、本発明の実施例４のズームレンズの広角端におけるレンズ断面図である。図８（Ａ）、（Ｂ）、（Ｃ）はそれぞれ実施例４のズームレンズの広角端、中間のズーム位置、望遠端における収差図である。実施例４はズーム比３５．５０、開口比１．４４〜５．００程度のズームレンズである。
【００１７】
図９は、本発明の実施例５のズームレンズの広角端におけるレンズ断面図である。図１０（Ａ）、（Ｂ）、（Ｃ）はそれぞれ実施例５のズームレンズの広角端、中間のズーム位置、望遠端における収差図である。実施例５はズーム比３５．５０、開口比１．４４〜５．００程度のズームレンズである。
【００１８】
図１１は、本発明の実施例６のズームレンズの広角端におけるレンズ断面図である。図１２（Ａ）、（Ｂ）、（Ｃ）はそれぞれ実施例６のズームレンズの広角端、中間のズーム位置、望遠端における収差図である。実施例６はズーム比３５．５０、開口比１．４４〜５．００程度のズームレンズである。
【００１９】
図１３は、本発明の実施例７のズームレンズの広角端におけるレンズ断面図である。図１４（Ａ）、（Ｂ）、（Ｃ）はそれぞれ実施例７のズームレンズの広角端、中間のズーム位置、望遠端における収差図である。実施例７はズーム比３５．５０、開口比１．４４〜５．２０程度のズームレンズである。
【００２０】
図１５は本発明のズームレンズを備える監視カメラ（撮像装置）の要部概略図である。ここで前述の中間のズーム位置とは後述する各実施例においてズーミングに際して第１レンズ群Ｌ１が最も像側に位置したときのズーム位置である。
【００２１】
各実施例のズームレンズは監視カメラ、ビデオカメラ、デジタルスチルカメラ、銀塩フィルムカメラ、ＴＶカメラなどの撮像装置に用いられる撮影レンズ系である。尚、各実施例のズームレンズは投射装置（プロジェクタ）用の投射光学系として用いることもできる。レンズ断面図において、左方が物体側（前方）で、右方が像側（後方）である。また、レンズ断面図において、ｉを物体側からのレンズ群の順番とすると、Ｌｉは第ｉレンズ群を示す。ＬＲは１以上のレンズ群を有する後群である。
【００２２】
ＳＰは開口絞りである。ＧＢは光学フィルター、フェースプレート、ローパスフィルター、赤外カットフィルターなどに相当する光学ブロックである。ＩＰは像面である。像面ＩＰは、ビデオカメラやデジタルカメラの撮影光学系としてズームレンズを使用する際には、ＣＣＤセンサやＣＭＯＳセンサなどの固体撮像素子（光電変換素子）の撮像面に相当する。銀塩フィルムカメラの撮影光学系としてズームレンズを使用する際には、フィルム面に相当する。
【００２３】
矢印は広角端から望遠端へのズーミング（変倍）に際して、各レンズ群の移動軌跡と、フォーカシングの際のレンズ群の移動方向を示している。球面収差図において、実線はｄ線（波長５８７．６ｎｍ）、二点鎖線はｇ線（波長４３５．８ｎｍ）である。非点収差図でΔＳはｄ線におけるサジタル像面、ΔＭはｄ線におけるメリディオナル像面である。歪曲収差はｄ線について示している。倍率色収差図において二点鎖線はｇ線である。尚、以下の各実施例において広角端と望遠端は変倍用のレンズ群が機構上、光軸上を移動可能な範囲の両端に位置したときのズーム位置をいう。
【００２４】
実施例1乃至５において、Ｌ１は正の屈折力の第１レンズ群、Ｌ２は負の屈折力の第２レンズ群、Ｌ３は正の屈折力の第３レンズ群である。後群ＬＲは正の屈折力の第４レンズ群Ｌ４より構成されている。開口絞りＳＰは第３レンズ群Ｌ３の物体側に位置している。広角端から望遠端へのズーミングに際して、第１レンズ群Ｌ１は像側へ移動した後に物体側へ移動する。即ち、第１レンズ群Ｌ１が像側へ凸状の軌跡で移動する。第２レンズ群Ｌ２は像側に移動する。ズーミングに際して第３レンズ群Ｌ３は不動であるが、収差補正上必要に応じて移動させても良い。第４レンズ群は物体側に凸状の軌跡で移動している。
【００２５】
実施例１乃至５では第４レンズ群Ｌ４を光軸上を移動させてフォーカシングを行うリアフォーカス式を採用している。第４レンズ群Ｌ４に関する実線の曲線４ａと点線の曲線４ｂは、各々無限遠物体と近距離物体にフォーカスしているときの変倍に伴う像面変動を補正するための移動軌跡である。また望遠端において、無限遠物体から近距離物体へフォーカシングを行う場合には、矢印４ｃに示す如く第４レンズ群Ｌ４を前方に繰出すことで行っている。開口絞りＳＰはズーミングに際して不動であるが、他のレンズ群と独立に（異なった軌跡で）移動させても良い。
【００２６】
実施例６において、Ｌ１は正の屈折力を有する第１レンズ群、Ｌ２は負の屈折力を有する第２レンズ群、Ｌ３は正の屈折力を有する第３レンズ群である。後群ＬＲは負の屈折力の第４レンズ群Ｌ４、正の屈折力の第５レンズ群Ｌ５より構成されている。実施例７において、Ｌ１は正の屈折力を有する第１レンズ群、Ｌ２は負の屈折力を有する第２レンズ群、Ｌ３は正の屈折力を有する第３レンズ群である。後群ＬＲは正の屈折力の第４レンズ群Ｌ４、正の屈折力の第５レンズ群Ｌ５より構成されている。
【００２７】
実施例６，７において、広角端から望遠端へのズーミングに際して、第１レンズ群Ｌ１は像側へ移動し、その後物体側へ移動する。即ち、第１レンズ群Ｌ１は像側へ凸状の軌跡で移動する。第２レンズ群Ｌ２は像側に移動する。ズーミングに際して第３レンズ群Ｌ３は不動であるが、収差補正上必要に応じて移動させても良い。第４レンズ群Ｌ４は物体側に移動する。第５レンズ群Ｌ５は物体側に凸状の軌跡で移動している。開口絞りＳＰはズーミングに際して不動であるが、他のレンズ群と独立に移動させても良い。
【００２８】
第５レンズ群Ｌ５を移動させて変倍に伴う像面変動を補正すると共に、フォーカシングを行っている。ズーミングに際して第５レンズ群Ｌ５を物体側に凸状の軌跡で移動することで、第４レンズ群Ｌ４と第５レンズ群Ｌ５の空間の有効利用を図り、レンズ全長の短縮化を効果的に達成している。第５レンズ群Ｌ５に関する実線の曲線５ａと点線の曲線５ｂは、各々無限遠物体と近距離物体にフォーカス（合焦）しているときの変倍に伴う像面変動を補正するための移動軌跡である。
【００２９】
また望遠端において、無限遠物体から近距離物体へフォーカシングを行う場合には、矢印５ｃに示す如く第５レンズ群Ｌ５を前方に繰出すことで行っている。実施例１乃至７において像ぶれ補正を第３レンズ群Ｌ３の全部又は一部を光軸に対して垂直方向の成分を持つ方向へ移動させて行っても良い。尚、実施例１乃至７において第１レンズ群Ｌ１はフォーカスの為には光軸方向に不動であるが、収差補正上必要に応じて移動させてもよい。
【００３０】
各実施例のズームレンズは、大口径比、高ズーム比でありながら全系がコンパクトなズームレンズである。広角端において大口径比を図るには第１レンズ群（前玉レンズ群）を負の屈折力とするネガティブリードタイプが有利である。しかしながら、ネガティブリードタイプはズーム比を高くすると、ズーミングに伴うＦナンバーの落ちが大きくなり、望遠端においてＦナンバーが暗くなってしまう。また、ズーム比４０倍程度という高ズーム比化を達成するにはズーミングに際してのレンズ群の移動量が大きくなり、小型化が困難である。
【００３１】
一方、第１レンズ群が正の屈折力とするポジティブリードタイプは、ズーミングに際してＦナンバーの落ちは少なく、高ズーム比化が容易である。その為、各実施例のズームレンズはポジティブリードタイプを用い、物体側から像側へ順に、正、負の屈折力のレンズ群を含む構成としている。
【００３２】
高ズーム比化に対しては、変倍レンズ群の移動量を十分確保する必要がある。このため前玉レンズ群から開口絞りまでの距離が離れ、前玉有効径が大きくなりやすい。正、負、正の屈折力のレンズ群を含む構成でリアフォーカスを用いるズームタイプは広角端から少し望遠端寄りのズーム位置で前玉有効径が決まる事が多い。この為、従来ではズーム位置で前玉（第１レンズ群）から開口絞りまでの距離を縮めるために第３レンズ群の物体側に配置されている開口絞りを広角端から少し望遠端寄りのズーム位置で前玉側に移動させている。
【００３３】
また、別の方法として、正の屈折力の第３レンズ群を移動レンズ群として変倍作用を持たせ、主変倍レンズ群の第２レンズ群の移動量を減らす事で前玉有効径の小型化を行ってきた。
【００３４】
しかし、前者については、開口絞りがシャッター、ＮＤフィルター等と一緒になっている構造であり、絞りユニットとして大きなものとなる。この為、装置が大型化、複雑化する傾向となる。後者については、第３レンズ群を移動レンズ群とする事で開口絞りの像側のスペースを確保する必要があり、レンズ全長が長くなる傾向がある。このため、例えば半球状のドームを装着する監視カメラの様な大きさに制限のある撮像装置に対しては不利となる。
【００３５】
また、開口絞りから第３レンズ群までの距離が広角端で離れるため、大口径に対応したズームレンズの場合、第３レンズ群のレンズ径が大きくなり、球面収差等の収差補正の補正が困難になる。
【００３６】
そこで各実施例では上記課題を改善するためにズーミングに際して開口絞りや第３レンズ群を移動させずに第１レンズ群を像側に凸状の軌跡で移動させる事によって前玉有効径の小型化を図っている。
【００３７】
ズーミングに際して第１レンズ群を像側に凸状の軌跡で動かすことにより、広角端から少し望遠端寄りのズーム位置で第１レンズ群から開口絞りまでの距離を近づけて、前玉有効径の小型化を図っている。また、ズーミングに際して第３レンズ群を不動とする事で第３レンズ群の変倍分担が小さくなるため、第３レンズ群を移動させるズームタイプに対してレンズ群としてのパワー（屈折力）を弱める事ができる。これにより、大口径化した際の軸上収差の補正を容易にしている。
【００３８】
各実施例のズームレンズは、第３レンズ群Ｌ３の焦点距離をｆ３、広角端における全系の焦点距離をｆｗ、広角端におけるＦナンバーをＦｎｏｗとする。このとき、
４．２＜ｆ３／（Ｆｎｏｗ×ｆｗ）＜８．０    ・・・（１）
なる条件式を満足する。このような構成をとることにより、大口径比であり、ズーム比も４０倍程度と高ズーム比で、しかも全系が小型のズームレンズを得ている。
【００３９】
条件式（１）は、第３レンズ群Ｌ３のパワー配置（屈折力配置）に関し、全系の小型化を図りつつ、広角端において軸上収差を良好に補正するためのものである。条件式（１）の下限値を下回って、第３レンズ群Ｌ３の屈折力が強まると、広角端において球面収差や軸上色収差が増大し、これらの軸上収差の補正が困難となる。また、長いバックフォーカスを確保するのが困難となる。
【００４０】
一方、上限値を上回って、第３レンズ群Ｌ３の屈折力が弱まると、バックフォーカスが長くなりすぎず、全系の小型化が困難になる。また、広角端において軸上色収差が補正不足となる。尚、各実施例において、収差補正上更に好ましくは、条件式（１）の数値範囲を次の如く設定するのが良い。
４．４＜ｆ３／（Ｆｎｏｗ×ｆｗ）＜７．８    ・・・（１ａ）
【００４１】
より更に好ましくは、条件式（１ａ）の数値範囲を次の如く設定するのが良い。
４．６＜ｆ３／（Ｆｎｏｗ×ｆｗ）＜７．５    ・・・（１ｂ）
各実施例において更に好ましくは次の条件式のうち１以上を満足するのが良い。広角端のズーム位置を基準として、ズーミングに際して第１レンズ群Ｌ１の像側への最大移動量をｓｔ１ｉｍｇ、物体側への最大移動量をｓｔ１ｏｂｊとする。そして最大移動量ｓｔ１ｉｍｇの符号は像側への移動量を正、最大移動量ｓｔ１ｏｂｊの符号は物体側への移動量を正、像側への移動量を負とする。
【００４２】
ズーミングに際して第１レンズ群Ｌ１が最も像側に位置するときの中間のズーム位置における全系の焦点距離をｆｍ、望遠端における全系の焦点距離をｆｔとする。第１レンズ群Ｌ１の焦点距離をｆ１とする。広角端における第２レンズ群Ｌ２の横倍率をβ２ｗとする。このとき次の条件式のうち１以上を満足するのが良い。
【００４３】
０．８＜ｓｔ１ｉｍｇ／ｆｗ＜３．０    ・・・（２）
０．０＜ｓｔ１ｏｂｊ／ｆｗ＜１．０    ・・・（３）
０．０１＜ｆｍ／ｆｔ＜０．１０        ・・・（４）
９．０＜ｆ１／ｆｗ＜１４．５          ・・・（５）
−０．２３＜β２ｗ＜−０．１５        ・・・（６）
次に前述の各条件式の技術的意味について説明する。
【００４４】
条件式（２）は、第１レンズ群Ｌ１のズーミングに際して像側への移動量に関し、全系の小型化を図りつつ、ズーミングに際しての像面湾曲の変動を軽減するためのものである。条件式（２）の下限値を下回って、第１レンズ群Ｌ１のズーミングに際して像側への移動量が少なくなると、前玉有効径を決めるズーム位置で第１レンズ群Ｌ１から開口絞りＳＰまでの距離を縮める事が出来ず、前玉有効径を小型化するのが困難になる。
【００４５】
一方、上限値を上回って、第１レンズ群Ｌ１のズーミングに際して像側への移動量が大きくなると前玉有効径の小型化は容易になるが、像側への凸状の移動軌跡が急になり、ズーミングに際して像面湾曲の変動を軽減するのが困難となる。
【００４６】
条件式（３）は、第１レンズ群Ｌ１のズーミングに際しての物体側への移動量に関し、高ズーム比化を図りつつ、レンズ全長を短くするためのものである。条件式（３）の下限値を下回って、第１レンズ群Ｌ１のズーミングに際しての物体側への移動量が少なくなると、レンズ全長を短くするのには容易となるが所定のズーム比を得るために第１レンズ群Ｌ１のパワーを強める必要がある。
【００４７】
この結果、望遠端において球面収差が増大し、この球面収差の補正が困難となる。一方、上限値を上回って、第１レンズ群Ｌ１のズーミングに際しての物体側への移動量が大きくなると、レンズ全長が長くなってくる。
【００４８】
条件式（４）は、望遠端における全系の焦点距離に対する中間のズーム位置における全系の焦点距離の比に関し、前玉有効径の小型化を図るためのものである。条件式（４）の下限値を下回って、広角端寄りで第１レンズ群Ｌ１を像側に移動させると前玉有効径の小型化は容易となるが広角端側においてズーミングの際の像面湾曲の変動が増大してくる。一方、上限値を上回って、望遠端寄りで第１レンズ群Ｌ１を物体側に移動させると、前玉有効径の小型化が困難になる。
【００４９】
条件式（５）は、第１レンズ群Ｌ１の屈折力に関し、望遠端における光学性能を良好に維持するためのものである。条件式（５）の下限値を下回って、第１レンズ群Ｌ１の屈折力が強まると、望遠端において球面収差や軸上色収差が増大し、これらの諸収差の補正が困難となる。一方、上限値を上回って、第１レンズ群Ｌ１の屈折力が弱まると、望遠端において軸上色収差の補正は容易となるが、所定のズーム比を得るため第１レンズ群Ｌ１の移動量が長くなり、レンズ全長が長くなってくる。
【００５０】
条件式（６）は、広角端における第２レンズ群Ｌ２の横倍率に関し、全系の小型化を図りつつ、全ズーム範囲にわたり像面湾曲を良好に補正するためのものである。条件式（６）の下限値を下回ると、所定のズーム比をえるため望遠端において第１レンズ群Ｌ１と第２レンズ群Ｌ２の間隔を長くすることが必要となり、レンズ全長が長くなってくる。一方、上限値を上回ると、ズーミングの際に第１レンズ群Ｌ１と第２レンズ群Ｌ２の間隔を少なくすることができて、レンズ全長は短くなるが、ズーミングに際して像面湾曲の変動が大きくなる。
【００５１】
尚、各実施例において、収差補正上更に好ましくは、条件式（２）乃至（６）の数値範囲を次の如く設定するのが良い。
【００５２】
１．０＜ｓｔ１ｉｍｇ／ｆｗ＜２．８      ・・・（２ａ）
０．０＜ｓｔ１ｏｂｊ／ｆｗ＜０．９      ・・・（３ａ）
０．０１＜ｆｍ／ｆｔ＜０．０９          ・・・（４ａ）
９．２＜ｆ１／ｆｗ＜１４．０            ・・・（５ａ）
−０．２３＜β２ｗ＜−０．１６          ・・・（６ａ）
より更に好ましくは、条件式（２ａ）乃至（６ａ）の数値範囲を次の如く設定するのが良い。
【００５３】
１．２＜ｓｔ１ｉｍｇ／ｆｗ＜２．６      ・・・（２ｂ）
０．０＜ｓｔ１ｏｂｊ／ｆｗ＜０．８      ・・・（３ｂ）
０．０２＜ｆｍ／ｆｔ＜０．０７          ・・・（４ｂ）
９．５＜ｆ１／ｆｗ＜１３．５            ・・・（５ｂ）
−０．２３＜β２ｗ＜−０．１７          ・・・（６ｂ）
各数値実施例では以上のように各レンズ群を構成することによって、大口径であり、ズーム倍率も４０倍程度の高倍率にまで対応した前玉径がコンパクトなズームレンズが得られる。
【００５４】
尚、各実施例のズームレンズを固体撮像素子を有する撮像装置に用いたときは、ズームレンズの諸収差のうち例えば歪曲収差の補正を電気的な画像処理によって補正しても良い。特に広角側は最大撮影範囲に対して小さい撮像範囲とし、上記歪曲収差の補正を行うことによって、更なる前玉有効径の小型化が容易になる。即ち、広角端における有効像円径が望遠端における有効像円径よりも小さいことが良い。
【００５５】
次にズームレンズを構成する各レンズ群のレンズ構成について説明する。まずは実施例１乃至５の４群ズームレンズについて説明する。実施例１乃至５のズームレンズは物体側から像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４より構成されている。
【００５６】
第１レンズ群Ｌ１は物体側から像側へ順に、負レンズと正レンズとを接合した接合レンズ、物体側の面が凸でメニスカス形状の正レンズ、同じく物体側の面が凸でメニスカス形状の正レンズの４つのレンズで構成している。実施例１乃至５のズームレンズでは全系の小型化を図るため第１レンズ群Ｌ１の正の屈折力を適切な範囲で強めている。正の屈折力を強めた際、第１レンズ群Ｌ１より諸収差が多く発生してくる。特に望遠側において球面収差が多く発生してくる。そこで第１レンズ群Ｌ１の正の屈折力を接合レンズと２つの正レンズで分担しこれらの収差の発生を低減している。
【００５７】
第２レンズ群Ｌ２は物体側から像側へ順に、屈折力の絶対値が物体側に比べて像側に強く、像側のレンズ面が凹形状の負レンズ、両凹形状の負レンズ、両凸形状の正レンズと両凹形状の負レンズとを接合した接合レンズの４つのレンズで構成している。実施例１乃至６のズームレンズでは広角端において広い画角を得ながら第１レンズ群Ｌ１の有効径を小型にするために第２レンズ群Ｌ２の負の屈折力を適切な範囲で強めている。負の屈折力を強めた際、第２レンズ群Ｌ２より諸収差が多く発生してくる。特に広角側において像面湾曲、倍率色収差が多く発生してくる。
【００５８】
実施例１乃至５では第２レンズ群Ｌ２の負の屈折力を２つの負レンズで分担し、像面湾曲の発生を低減している。また、接合レンズにて倍率色収差の発生を低減している。このようなレンズ構成により、広画角化を図りながら前玉有効径の小型化と高い光学性能を得ている。なお、正レンズの材料にアッベ数が２０より小さい高分散材料を用いるのが良い。これによれば色消しのために必要なレンズの屈折力をなるべく小さくすることが容易となる。これにより像面湾曲や倍率色収差の発生を抑えつつ全系の小型化を図るのが容易になる。
【００５９】
実施例１乃至３において、第３レンズ群Ｌ３は物体側から像側へ順に物体側のレンズ面が凸形状の正レンズ、像側のレンズ面が凹形状の負レンズより構成している。実施例１乃至３のズームレンズでは広角端においてレンズ全長を短縮するために第３レンズ群Ｌ３の正の屈折力を適切な範囲で強めている。正の屈折力を強めた際、第３レンズ群Ｌ３より諸収差が多く発生してくる。特に軸上色収差やコマ収差が多く発生してくる。
【００６０】
そこで第３レンズ群Ｌ３を正レンズと負レンズでパワーを分担し、色消し及びコマ収差の発生を低減している。また、正レンズのレンズ面を非球面形状とする事で、大口径化した際、広角側において球面収差を良好に補正している。なお、負レンズの材料に屈折率が１．９５より高い高屈折率材料を用いるのが良い。これによればレンズ面の曲率を緩くし、コマ収差や像面湾曲の発生を低減するのが容易になる。
【００６１】
実施例４において第３レンズ群Ｌ３は物体側から像側へ順に物体側のレンズ面が凸形状の正レンズ、像側のレンズ面が凹形状の負レンズ、正レンズより構成している。実施例４では第３レンズ群Ｌ３を３つのレンズより構成することにより、軸上色収差、コマ収差の補正を良好に行っている。
【００６２】
実施例５において、第３レンズ群Ｌ３は物体側から像側へ順に物体側のレンズ面が凸形状の正レンズ、像側のレンズ面が凹形状の負レンズ、両凹形状の負レンズより構成している。実施例５ではこの像側の両凹形状の負レンズにより射出瞳を長くする事でテレセントリック性を良くし、像面湾曲を良好に補正している。この他、実施例４，５は実施例１乃至３に比べて第３レンズ群Ｌ３を３つのレンズより構成し、実施例１乃至３と同様の効果を容易に得ている。
【００６３】
実施例１乃至５において、第４レンズ群Ｌ４は正レンズと負レンズとを接合した接合レンズより構成している。第４レンズ群Ｌ４を接合レンズより構成する事でズーミングに際して倍率色収差や像面湾曲の変動を低減している。また第４レンズ群Ｌ４の最も物体側のレンズ面を非球面形状とすることにより、ズーム全域においてコマ収差、像面湾曲を低減している。
【００６４】
実施例４，５において、第３レンズ群Ｌ３の像側のレンズをズーミングに際して他のレンズ群と独立に（異なった軌跡で）移動させても良い。これによればズーミングに際しての収差変動を軽減するのが容易となる。
【００６５】
次に実施例６，７の５群ズームレンズについて説明する。実施例６のズームレンズは、物体側から像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の第５レンズ群Ｌ５より構成されている。実施例７のズームレンズは、物体側から像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４、正の屈折力の第５レンズ群Ｌ５より構成されている。
【００６６】
実施例６，７において、第１レンズ群Ｌ１、第２レンズ群Ｌ２のレンズ構成は実施例１乃至５と同じである。これにより実施例１乃至５と同様の効果を得ている。第３レンズ群Ｌ３のレンズ構成は、実施例１乃至３と同じである。これにより実施例１乃至３と同様の効果を得ている。実施例６において第４レンズ群Ｌ４は単一の負レンズより構成されている。また実施例７において第４レンズ群Ｌ４は単一の正レンズより構成されている。
【００６７】
実施例６，７において、第５レンズ群Ｌ５は正レンズと負レンズを接合した接合レンズより構成している。これによりズーミングに際しての倍率色収差や像面湾曲を良好に補正している。また第５レンズ群Ｌ５の物体側のレンズ面を非球面形状とすることにより、ズーム全域においてコマ収差、像面湾曲を良好に補正している。
【００６８】
次に本発明のズームレンズを用いた撮像装置（監視カメラ）の実施例を図１５を用いて説明する。図１５において、３０は監視カメラ本体、３１は実施例１乃至７で説明したいずれかのズームレンズによって構成された撮像光学系である。３２はカメラ本体に内蔵され、撮像光学系３１によって形成された被写体像を受光するＣＣＤセンサやＣＭＯＳセンサ等の固体撮像素子（光電変換素子）である。３３は固体撮像素子３２によって光電変換された被写体像に対応する情報を記録するメモリである。３４は固体撮像素子３２によって光電変換された被写体像を転送するためのネットワークケーブルである。
【００６９】
以下、実施例１〜７に対応する数値実施例１〜７の具体的数値データを示す。各数値実施例において、ｉは物体側から数えた面の番号を示す。ｒｉは第ｉ番目の光学面（第ｉ面）の曲率半径である。ｄｉは第ｉ面と第（ｉ＋１）面との軸上間隔である。ｎｄｉ、νｄｉはそれぞれｄ線に対する第ｉ番目の光学部材の材料の屈折率、アッベ数である。最も像側の２つの面はガラスブロックＧＢに相当している。非球面形状は光軸方向にＸ軸、光軸と垂直方向にＨ軸、光の進行方向を正としＲを近軸曲率半径、Ｋを円錐定数、Ａ４，Ａ６，Ａ８を各々非球面係数としたとき、
【００７０】
【数１】
2015141272.tif 000003
【００７１】
なる式で表している。＊は非球面形状を有する面を意味している。「ｅ−ｘ」は１０-xを意味している。ＢＦはバックフォーカスであり、最終レンズ面からの空気換算での距離を示している。焦点距離は左側から右側に広角端、中間のズーム位置、望遠端として示している。  変倍の際の第１レンズ群Ｌ１の移動量は、a、b、c、d、e、fを各々１次、２次、３次、４次、５次、６次の移動係数としたとき、以下の式で表わされる。
【００７２】
st1 = ax＋bx2＋cx3＋dx4＋ex5＋fx6
ただし、ｓｔ１の符号は物体側への移動を負、像側への移動を正としている。ここで、ｘは移動パラメータで広角端をｘ＝０、望遠端をｘ＝１としている。また、第２レンズ群Ｌ２は移動パラメータに対して線形に移動するものとしている。また、前述の各条件式と数値実施例との関係を（表１）に示す。
【００７３】
数値実施例１
面データ
面番号       r        d      nd         νd    
1         52.283    1.30   2.10300    18.1   
2         41.896    3.78   1.49700    81.5   
3       -482.248    0.20                     
4         36.232    2.49   1.43875    94.9   
5        106.861    0.20                     
6         24.453    2.41   1.49700    81.5   
7         43.261  (可変)                     
8         52.150    0.50   2.00100    29.1   
9          5.601    2.96                     
10        -35.788    0.45   1.88300    40.8   
11         15.258    0.43                     
12         11.051    2.07   1.95906    17.5   
13        -99.228    0.40   1.95375    32.3   
14         60.047  (可変)                     
15(絞り)    ∞       1.60                     
16*        11.366    4.34   1.69350    53.2   
17*       -65.636    0.20                     
18         16.826    0.55   2.00069    25.5   
19          9.410  (可変)                     
20*        17.179    3.75   1.55332    71.7   
21        -12.978    0.55   1.95906    17.5   
22        -16.724  (可変)                     
23          ∞       1.44   1.51633    64.1   
24          ∞       4.96                     
像面        ∞   
【００７４】
非球面データ
第16面
K =-8.81327e-001  A 4= 2.11761e-005  A 6= 1.42121e-007 
A 8= 1.06153e-009  
第17面
K =-6.42638e+001  A 4= 4.44588e-005  
第20面
K = 1.84791e+000  A 4=-8.91332e-005  A 6=-7.65295e-007  
各種データ
ズーム比     34.50 
焦点距離       4.01    46.65   138.48     6.03  
Fナンバー      1.44     4.57     5.00     2.72  
半画角（度）  34.80     3.68     1.24    26.44  
レンズ全長    83.23    83.33    84.71    77.27  
BF            13.78    21.71     6.92    16.60  
d 7            0.71    24.34    28.93     4.37  
d14           27.97     4.43     1.23    18.34  
d19           12.58     4.65    19.44     9.76  
d22            7.87    15.81     1.01    10.70  
ズームレンズ群データ
群  始面    焦点距離
1    1      40.69  
2    8      -5.91 
3   16      28.96  
4   20      17.79  
移動パラメータ
a= 34.49711   b= -63.06100   c= 92.72338  d= -250.47467  e= 308.88965
f= -124.05644 
【００７５】
数値実施例2
面データ
面番号       r        d      nd         νd
1         51.630    1.30   2.10300    18.1           
2         41.414    3.84   1.49700    81.5           
3       -441.212    0.20                             
4         36.109    2.51   1.43875    94.9           
5        107.759    0.20                             
6         23.726    2.43   1.49700    81.5           
7         44.030  (可変)                             
8         41.996    0.50   2.00100    29.1           
9*         5.829    3.03                             
10        -28.114    0.45   1.88300    40.8           
11         15.987    0.41                             
12         10.771    2.04   1.95906    17.5           
13       -139.293    0.40   1.88300    40.8           
14         28.965  (可変)                             
15(絞り)    ∞       1.60                             
16*        12.256    4.21   1.69350    53.2           
17*       -53.566    0.20                             
18         17.206    0.55   2.00069    25.5           
19         10.012  (可変)                             
20*        18.045    3.58   1.55332    71.7           
21        -14.088    0.55   1.95906    17.5           
22        -18.626  (可変)                             
23          ∞       1.44   1.51633    64.1           
24          ∞       4.96                             
像面        ∞   
【００７６】
非球面データ
第9面
K = 1.80998e-001  A 4=-1.05992e-004  A 6= 1.23560e-005 
A 8=-4.20349e-007  
第16面
K =-9.64242e-001  A 4= 2.01430e-005  A 6= 5.91591e-008 
A 8= 5.84711e-010  
第17面
K =-4.66686e+001  A 4= 2.80358e-005  
第20面
K = 1.89143e+000  A 4=-7.06021e-005  A 6=-5.64827e-007  
各種データ
ズーム比     38.50 
焦点距離       4.02    60.14   154.91     6.08  
Fナンバー      1.44     5.10     5.80     2.92  
半画角（度）   34.74     2.86     1.11    26.28  
レンズ全長    84.54    84.64    84.69    79.09  
BF            14.64    23.20     6.80    17.81  
d 7            0.56    24.24    27.51     4.23  
d14           28.02     4.44     1.23    18.91  
d19           13.31     4.74    21.15    10.14  
d22            8.73    17.30     0.89    11.90  
ズームレンズ群データ
群  始面    焦点距離  
1    1      39.06  
2    8      -5.42  
3   16      28.11  
4   20      19.35  
移動パラメータ
a=33.20897  b=-63.71997  c=92.63820  d=-250.06745  e=310.13783  
f=-122.34778 
【００７７】
数値実施例3
面データ
面番号       r        d      nd         νd
1         51.688    1.30   2.10300    18.1           
2         41.558    3.76   1.49700    81.5           
3       -588.670    0.20                             
4         37.103    2.43   1.43875    94.9           
5        109.004    0.20                             
6         24.698    2.32   1.49700    81.5           
7         44.000  (可変)                             
8         44.355    0.50   2.00100    29.1           
9          5.578    3.27                             
10        -18.692    0.45   1.88300    40.8           
11         15.607    0.41                             
12         13.076    1.99   1.95906    17.5           
13        -48.189    0.40   2.00100    29.1           
14        -95.011  (可変)                             
15(絞り)    ∞       1.60                             
16*        12.338    4.43   1.69350    53.2           
17*       -34.330    0.20                             
18         18.353    0.60   2.00069    25.5           
19         10.015  (可変)                             
20*        18.341    3.94   1.55332    71.7           
21        -11.385    0.55   1.95906    17.5           
22        -15.165  (可変)                             
23          ∞       1.44   1.51633    64.1           
24          ∞       4.96                             
像面        ∞   
【００７８】
非球面データ
第16面
K =-1.02539e+000  A 4= 1.48229e-005  A 6=-7.45078e-008 
A 8= 6.15688e-010  
第17面
K =-2.55665e+001  A 4= 1.24988e-005  
第20面
K =-4.74685e-001  A 4=-2.89021e-005  A 6=-3.47334e-007  
各種データ
ズーム比     34.50 
焦点距離       3.76    34.84   129.55     5.97  
Fナンバー      1.44     4.57     5.00     2.94  
半画角（度）  36.61     4.92     1.33    26.68  
レンズ全長    82.94    81.74    84.71    76.06  
BF            12.01    20.80     6.96    15.33  
d 7            0.60    23.32    29.55     5.13  
d14           28.40     4.49     1.22    16.99  
d19           13.37     4.58    18.42    10.05  
d22            6.10    14.90     1.05     9.43  
ズームレンズ群データ
群  始面    焦点距離  
1    1      41.17  
2    8      -5.79  
3   16      25.66  
4   20      17.95  
移動パラメータ
a= 34.51636  b= -46.66494  c= 6.84977  d= 1.45295  e= 7.31081  
f=-5.23431
【００７９】
数値実施例4
面データ
面番号       r        d      nd         νd
1         52.235    1.30   2.10300    18.1           
2         42.061    3.81   1.49700    81.5           
3       -491.999    0.20                             
4         37.026    2.43   1.43875    94.9           
5        107.144    0.20                             
6         24.537    2.38   1.49700    81.5           
7         42.831  (可変)                             
8         53.289    0.50   1.99627    30.1           
9          5.838    2.84                             
10        -54.731    0.45   1.93585    33.4           
11         15.459    0.86                             
12         11.913    2.35   1.95906    17.5           
13        -30.232    0.43   2.00330    25.4           
14         56.023  (可変)                             
15(絞り)    ∞       1.60                             
16*        11.416    4.41   1.69350    53.2           
17*       -59.458    0.20                             
18         19.754    0.60   1.97881    30.7           
19          9.312    4.5                             
20         45.677    2.00   1.43782    95.3           
21        157.453  (可変)                             
22*        17.848    3.81   1.55590    74.5           
23        -12.332    0.55   1.95906    17.5           
24        -15.954  (可変)                             
25          ∞       1.44   1.51633    64.1           
26          ∞       4.96
像面        ∞   
【００８０】
非球面データ
第16面
K =-7.96805e-001  A 4= 9.07226e-006  A 6= 1.67653e-007 
A 8= 8.52558e-010  
第17面
K =-2.63049e+001  A 4= 4.27435e-005  
第22面
K = 6.49959e-001  A 4=-6.02644e-005  A 6=-3.09574e-007  
各種データ
ズーム比     35.50 
焦点距離       4.01    40.94   142.23     5.85  
Fナンバー      1.44     4.57     5.00     2.72  
半画角（度）   34.85     4.19     1.21    27.15  
レンズ全長    87.06    87.16    88.76    81.01  
BF            13.95    20.84     6.90    16.55  
d 7            0.73    24.56    29.39     4.39  
d14           28.19     4.46     1.23    18.48  
d21            8.76     1.87    15.81     6.16  
d24            8.04    14.93     1.00    10.65  
ズームレンズ群データ
群  始面    焦点距離  
1    1      41.30  
2    8      -6.09  
3   16      30.48
4   22      17.71
移動パラメータ
a= 34.66882  b= -62.89140  c= 92.84922  d= -250.95826  e= 309.01465  
f=-124.38614  
【００８１】
数値実施例５
面データ
面番号       r        d      nd         νd
1         51.885    1.30   2.10300    18.1           
2         42.036    3.94   1.49700    81.5           
3       -759.940    0.20                             
4         37.243    2.46   1.43875    94.9           
5        112.201    0.20                             
6         24.828    2.37   1.49700    81.5           
7         43.616  (可変)                             
8         72.012    0.50   2.00100    29.1           
9          6.371    2.45                             
10       -121.905    0.45   2.00100    29.1           
11         13.605    1.41                             
12         13.075    2.28   1.95906    17.5           
13        -21.305    0.40   2.00069    25.5           
14         72.125  (可変)                             
15(絞り)    ∞       2.54                             
16*        12.620    4.31   1.69350    53.2           
17*       -37.541    0.20                             
18         18.805    0.60   1.91082    35.3           
19          9.815    4.50                           
20       -120.674    0.50   2.00272    19.3           
21        200.000  (可変)                             
22*        16.021    4.53   1.55332    71.7           
23        -11.796    0.55   1.95906    17.5           
24        -14.933  (可変)                             
25          ∞       1.44   1.51633    64.1           
26          ∞       4.96                      
像面        ∞   
【００８２】
非球面データ
第16面
K =-1.09552e+000  A 4= 3.17929e-006  A 6=-1.13176e-007 
A 8= 3.90970e-010  
第17面
K =-2.13747e+001  A 4= 1.24982e-006  
第22面
K = 6.54565e-001  A 4=-9.65218e-005  A 6=-4.33644e-007  
各種データ
ズーム比     35.50 
焦点距離       3.96    42.19   140.66     5.95  
Fナンバー      1.44     4.57     5.00     2.72  
半画角（度）  34.86     4.07     1.22    26.74  
レンズ全長    87.79    87.42    89.01    81.87  
BF            14.29    20.81     6.94    16.70  
d 7            0.84    24.77    29.67     4.86  
d14           28.84     4.54     1.23    18.90  
d21            8.13     1.60    15.47     5.71  
d24            8.38    14.91     1.03    10.79  
ズームレンズ群データ
群  始面    焦点距離  
1    1      41.59  
2    8      -6.33  
3   16      35.71  
4   22      16.32
移動パラメータ
a= 34.04053  b= -62.87114  c= 95.03158  d= -251.02773  e= 309.68919
f= -126.07882
【００８３】
数値実施例６
単位 mm
面データ
面番号       r        d      nd         νd       
1         51.964    1.30   2.10300    18.1       
2         42.105    3.97   1.49700    81.5       
3       -640.823    0.20                         
4         37.317    2.42   1.43875    94.9       
5        108.392    0.20                         
6         24.890    2.35   1.49700    81.5       
7         43.518  (可変)                         
8         70.412    0.50   2.00100    29.1       
9          6.388    2.43                         
10       -145.052    0.45   2.00100    29.1       
11         13.525    1.44                         
12         13.014    2.27   1.95906    17.5       
13        -21.817    0.40   2.00069    25.5       
14         64.760  (可変)                         
15(絞り)    ∞       2.54                         
16*        12.592    4.33   1.69350    53.2       
17*       -36.989    0.20                         
18         18.917    0.60   1.91082    35.3       
19          9.843  (可変)                         
20       -120.674    0.50   2.00272    19.3       
21        200.000  (可変)                         
22*        16.122    4.54   1.55332    71.7       
23        -11.744    0.55   1.95906    17.5       
24        -14.896  (可変)                         
25          ∞       1.44   1.51400    70.0      
26          ∞       4.96                       
像面        ∞   
【００８４】
非球面データ
第16面
K =-1.07143e+000  A 4= 2.16817e-006  A 6=-8.84892e-008 
A 8= 3.36870e-010  
第17面
K =-2.05394e+001  A 4= 3.90064e-006  
第22面
K = 6.68877e-001  A 4=-9.51952e-005  A 6=-4.38091e-007  
各種データ
ズーム比     35.50 
焦点距離       3.96    41.92   140.43     6.06     
Fナンバー      1.44     4.57     5.00     4.82     
半画角（度）   34.90     4.09     1.22    26.34    
レンズ全長    87.76    87.32    89.01    81.79    
BF            14.19    20.88     6.94    16.70    
d 7            0.84    24.84    29.86    
d14           29.00     4.56     1.23     
d19            4.50     4.37     4.35     
d21            8.05     1.48    15.45     
d24            8.28    14.98     1.03    
ズームレンズ群データ
群  始面    焦点距離  
1    1      41.79        
2    8      -6.34       
3   15      27.08        
4   20     -75.00        
5   22      16.36       
移動パラメータ
a= 34.12068  b= -62.74708  c= 95.09586  d= -251.01078  e= 309.63648
f= -126.34375
【００８５】
数値実施例７
単位 mm
面データ
面番号       r        d      nd         νd       
1         50.142    1.30   2.10300    18.1       
2         41.190    3.76   1.49700    81.5       
3       -958.707    0.20                         
4         39.091    2.16   1.43875    94.9       
5         96.575    0.20                         
6         28.043    2.29   1.49700    81.5       
7         51.756  (可変)                         
8        231.105    0.50   2.00100    29.1       
9          7.173    2.75                         
10        -25.084    0.45   1.95375    32.3       
11         29.573    0.76                         
12         16.571    2.16   1.95906    17.5       
13        -20.141    0.40   2.00100    29.1       
14        124.963  (可変)                         
15(絞り)    ∞       2.51                         
16*        11.923    4.23   1.69350    53.2       
17*       -69.380    0.20                         
18         23.991    0.60   1.95375    32.3       
19         10.371  (可変)                         
20         15.725    2.00   1.43700    95.1       
21        115.331  (可変)                         
22*        22.279    3.96   1.55332    71.7       
23        -11.576    0.55   1.95906    17.5       
24        -16.088  (可変)                         
25          ∞       1.44   1.51633    64.1       
26          ∞       1.86    
像面        ∞   
非球面データ
第16面
K =-4.66390e-001  A 4=-1.07851e-005  A 6=-7.89814e-008 
A 8= 3.65783e-010  
第17面
K =-1.00425e+002  A 4= 1.32832e-005  
第22面
K =-1.25328e+001  A 4= 6.23985e-005  A 6=-9.50418e-007  
各種データ
ズーム比     35.50 
焦点距離       3.80    22.86   134.91     6.86  
Fナンバー      1.44     4.57     5.20     2.72  
半画角（度）   35.69     7.48     1.27    23.63  
レンズ全長    86.66    82.57    89.21    78.02  
BF            10.69    19.22     4.18    14.91  
d 7            1.00    21.76    31.79     7.33  
d14           30.69     5.83     2.44    15.72  
d19            4.50     3.10     2.90     3.65  
d21            8.81     1.68    16.92     5.43  
d24            7.88    16.41     1.37    12.10  
ズームレンズ群データ
群  始面    焦点距離 
1    1      44.19   
2    8      -6.30   
3   15      39.03   
4   20      41.34   
5   22      20.86   
移動パラメータ
a= 34.63389  b= -55.31006  c= 116.02044  d= -268.554052  e= 302.842682
f= -132.18114
【００８６】
【表１】
2015141272.tif 000004
【符号の説明】
【００８７】
Ｌ１  ：  第１レンズ群    Ｌ２  ：  第２レンズ群    Ｌ３  ：  第３レンズ群
Ｌ４  ：  第４レンズ群    Ｌ５  ：  第５レンズ群
【図１】
2015141272.tif 000005
【図２】
2015141272.tif 000006
【図３】
2015141272.tif 000007
【図４】
2015141272.tif 000008
【図５】
2015141272.tif 000009
【図６】
2015141272.tif 000010
【図７】
2015141272.tif 000011
【図８】
2015141272.tif 000012
【図９】
2015141272.tif 000013
【図１０】
2015141272.tif 000014
【図１１】
2015141272.tif 000015
【図１２】
2015141272.tif 000016
【図１３】
2015141272.tif 000017
【図１４】
2015141272.tif 000018
【図１５】
2015141272.tif 000019